(57)【特許請求の範囲】
【請求項１】
第１の中空形材の面板と第の２の中空形材の面板とを接合する接続材であり、
該接続材は前記面板に重ねるものであり、
前記接続材の板の両端の端部の両面に、該板の厚さ方向にそれぞれ突出する凸部を有し、
前記板の一方の端部の前記凸部は、該板の面に沿って前記端部よりも突出しており、
前記一方の端部の前記凸部の間で、前記板の端面に、凹部を有しており、
該一方の端部の凸部の幅の中心の近傍に実質的に前記凹部の底面があり、
前記板の一方の端部において、面に沿って突出する前記凸部の長さは一方の凸部の長さが他方の凸部の長さよりも長く、
他方の端部の前記凸部の一方の面側の凸部は前記長さが短い凸部側の面にあり、該板の端部と同一端部にあり、他方の凸部は前記長さが長い凸部がある面側にあり、該板の面に沿って該他方の板の端部よりも突出していること、
を特徴とする摩擦攪拌接合用接続材。
【発明の詳細な説明】
【０００１】
【発明の属する技術分野】
本発明は摩擦攪拌接合方法に係わり、特に、鉄道車両を構成する中空形材の接合に好適である。
【０００２】
【従来の技術】
摩擦攪拌接合方法は、接合すべき部材に挿入した丸棒（回転工具という）を回転させながら接合線に沿って移動させ、部材を発熱、軟化させ、塑性流動させ、固相接合する方法である。回転工具は大径部と小径部からなる。小径部を部材に挿入し、大径部の端面を部材に接触させている。これらは特許第２７１２８３８号公報（ＵＳＰ５４６０３１７）、特開平１０−２１６９６４号公報、特開２０００−３３４５８０号公報（ＥＰ１０５７５７４Ａ２）、特開２００１−０４７２６２号公報（ＥＰ１０５７５７５Ａ２）、特開２００１−１５０１５６号公報（ＥＰ１１０３３３４Ａ２）に示されている。
【０００３】
摩擦攪拌接合においては、回転工具を接合すべき部材に挿入するために、大きな力が必要である。この力は、回転工具、接合すべき部材、この部材を支える架台にそれぞれ作用する。このため、これらは前記力を支持する強度が必要である。
【０００４】
中空形材を摩擦攪拌接合する場合は、中空形材の２つの面板を接続する接続板の部分を他方の中空形材との摩擦攪拌接合位置としている。これは前記接続板で前記力を支え、中空形材の変形を防止しながら摩擦攪拌接合するものである。もちろん、架台もこの力を支持する強度を有する。これは前記特開２０００−３３４５８０号公報（ＥＰ１０５７５７４Ａ２）に示されている。
【０００５】
また、回転工具の２つの大径部の間に接合すべき部材を位置させて摩擦攪拌接合を行うものがある。これによれば、架台を安価にできるものである。これは前記特許第２７１２８３８号公報（ＵＳＰ５４６０３１７）に示されている。
【０００６】
【発明が解決しようとする課題】
前記のように、回転工具の２つの大径部の間に接合すべき部材を位置させて摩擦攪拌接合を行えば、架台を安価にできるものである。中空形材の接合に適用すれば、中空形材を安価にできる。
【０００７】
しかし、この方法では、接合すべき部材を架台に載せていても、接合すべき部分は架台で支持することはできない。このため、種々の問題を発生する。
【０００８】
接合すべき部分の部材が所定位置（回転工具の大径部の位置）よりも上方または下方になることがある。接合すべき部材が所定位置よりも上方になれば、部材の上面が上方の大径部で削られる。接合すべき部材が所定位置よりも下方になれば、部材の下面が下方の大径部で削られる。このため、部材の板厚が薄くなり、強度不足を生じる。したがって、この切削代を考慮して接合部分の板厚を厚くしなければならなくなり、結果的に重量増加につながる。
【０００９】
切削された面が、車体の外面の場合は意匠上問題を生じる。塗装で平滑にする場合はパテの量を多くしなければならない。また、容器等において、平滑な面を必要とする場合も同様な問題を生じる。
【００１０】
接合すべき部材の厚さが部分的に厚くなった場合は、切削された凹みが残り、ほぼ同様な問題を生じる。
【００１１】
本発明の目的は、第１の中空形材の面板と第の２の中空形材の面板に重ねて接合する接続材に関するもので、良好な摩擦攪拌接合が得られるようにすることにある。
【００１４】
【課題を解決するための手段】
上記目的は、第１の中空形材の面板と第の２の中空形材の面板とを接合する接続材であり、該接続材は前記面板に重ねるものであり、前記接続材の板の両端の端部の両面に、該板の厚さ方向にそれぞれ突出する凸部を有し、前記板の一方の端部の前記凸部は、該板の面に沿って前記端部よりも突出しており、前記一方の端部の前記凸部の間で、前記板の端面に、凹部を有しており、該一方の端部の凸部の幅の中心の近傍に実質的に前記凹部の底面があり、前記板の一方の端部において、面に沿って突出する前記凸部の長さは一方の凸部の長さが他方の凸部の長さよりも長く、他方の端部の前記凸部の一方の面側の凸部は前記長さが短い凸部側の面にあり、該板の端部と同一端部にあり、他方の凸部は前記長さが長い凸部がある面側にあり、該板の面に沿って該他方の板の端部よりも突出していること、によって達成できる。
【００１９】
【発明の実施の形態】
本発明の一実施例を図１〜図６によって説明する。図３は回転工具の軸心に沿った断面図である。図４は中空型材の厚さ方向に沿った断面図である。図４において、接合部の形状やハッチングで示す摩擦攪拌領域は模式的に示すものである。
【００２０】
鉄道車両の車体５００は、側面を構成する側構体５０１、屋根を構成する屋根構体５０２、床を構成する台枠５０３、長手方向の端部を構成する妻構体５０４からなる。側構体５０１、屋根構体５０２、台枠５０３は、それぞれ複数の押し出し形材１０、２０を接合して構成している。押し出し形材１０、２０の長手方向（押し出し方向）を車体５００の長手方向に向けている。押し出し形材１０、２０はアルミニウム合金製の中空形材である。
【００２１】
側構体５０１を構成する中空形材１０、２０の構造について説明する。他の箇所の中空形材も同様である。
【００２２】
中空形材１０（２０）は、実質的に平行な２枚の面板１１（２１）、１２（２２）と、この２枚の面板を接続する複数の接続板１３（２３）と、からなる。接続板１３（２３）は面板１１（２１）、１２（２２）に対して傾斜している。つまり、面板１１（２１）、１２（２２）、接続板１３（２３）によってトラスを構成している。なお、面板１１（２１）は面板１２（２２）に対して傾斜している場合を含めて「実質的に平行」という。
【００２３】
中空形材１０（２０）の幅方向の端部は接続板１３（２３）と面板１１、１２（２１、２２）との接続部よりも突出した面板１１ｂ、１２ｂ（２１ｂ、２２ｂ）となっている。面板１１ｂ、１２ｂ（２１ｂ、２２ｂ）の外面は面板１１、１２（２１、２２）の外面と同一面にある。面板１１ｂ、２１ｂの板厚は面板１１、２１の板厚よりも厚い。
【００２４】
面板１１ｂ、１２ｂ（２１ｂ、２２ｂ）の端部の両面（厚さ方向の両面）には突出する凸部１５、１６（２５、２６）がある。そして、面板１１ｂ、１２ｂの端面には凹部１８がある。他方の中空形材２０の面板２１ｂ、２２ｂの端面には前記凹部１８に入ることのできる凸部２８がある。凹部１８への凸部２８の挿入を容易にするため、凹部１８、凸部２８は台形状である。凹部１８と凸部２８とは実質的に相似形である。挿入したとき、凹部１８の底面と凸部２８の先端との間には若干の隙間がある。２つの凹部１８、１８の深さ等の大きさは同一である。凸部２８、２８の突出代等の大きさは同一である。
【００２５】
凹部１８および凸部２８の上部および下部の一部は凸部１５、１６、２５、２６の厚さの範囲内に設けることができる。このため、面板１１ｂ、１２ｂ、２１ｂ、２２ｂの板厚が薄くても、十分な大きさの凹部１８、凸部２８を設けることができる。
【００２６】
凹部１８の底面とは、凹部の深さ方向の底面であり、凸部２８の頂（先端）に対向する面である。凹部１８、凸部２８は台形状の他に円弧状にできる。
【００２７】
凹部１８と凸部２８とを嵌合させた状態で、該部を摩擦攪拌接合する。中空形材１０の面板１１ｂ、１２ｂ（２１ｂ、２２ｂ）のそれぞれの端面１７（２７）は、面板１１ｂ、１２ｂの面に直交する線上（中空形材の厚さ方向に沿った線上）にある。２つの端面１７（２７）は実質的に１つの線上にある。凹部１８の底面および凸部２８の先端は面板１１ｂ、１２ｂに実質的に直交している。
【００２８】
中空形材１０の端部の接続板１３から他方の中空形材の接続板２３までの面板１１ｂ、２１ｂの長さは、他の部分のトラスを構成する面板１１、２１の長さよりも長い。このため、面板１１ｂ、２１ｂの板厚は若干厚くしている。
【００２９】
面板１２ｂ、２２ｂの長さは短いので、型材１０、２０の製作性を考慮して、面板１２ｂ、２２ｂの上面側の全範囲を、凸部１６、２６の高さ位置にしてもよい。
【００３０】
面板１２ｂ、２２ｂの凸部１６、２５の頂と面板１２ｂ、２２ｂの内面とを接続する線、面板１１ｂ、２１ｂの凸部１５、２５、１６、２６の頂と面板１１ｂ、２１ｂを接続する線は、円弧状である。円弧はできるだけ大きい方がよい。しかし、面板１２ｂ、２２ｂの凸部１５、２５の頂と面板１２ｂ、２２ｂの外面とを接続する線は、面板１２ｂ、２２ｂに直交している。円弧は、円弧面が外方に突出しているのではない。
【００３１】
他の個所の凸部は摩擦攪拌接合後、切削しない。この中空形材を車体のように強度部材として用いると、凸部の頂と面板とを接続する線が直交する線であると、凸部の根元に局部的に荷重がかかり、強度が低下する。そこで、円弧状の線で接続しているものである。円弧に代えて斜面にすることができる。
【００３２】
また、後述するように、面板の外面側の凸部１５、２５は光学センサで検出する対象であるので、この検出ができるように、凸部の頂と円弧との接続部は直線状にするとよい。
【００３３】
回転工具５０は小径部５１の軸方向の両側に大径部５３、５４を有する。２つの大径部５３、５４の間に接合すべき部分を挟んだ状態で、回転工具５０を回転させ、中空形材の長手方向（接合線）に沿って移動させて、摩擦攪拌接合する。小径部５１の外面にはねじを有する。回転工具５０の上端に、回転および移動させる駆動装置がある。
【００３４】
回転工具５０の部材は、大径部５３および小径部５１等を有する部材と、先端の大径部５４用の部材とからなる。大径部５３を有する部材は、上端側から、外径が円形の大径部５３、円形の小径部５１、大径部５４の部材５４ｂを設置するための小径の軸部５１ｃがある。軸部５１ｃには部材５４ｂを固定するためのピン孔５７がある。
【００３５】
大径部５４に相当する部材は、外径が円形で、軸５１ｃに嵌合する孔５４ｃとピン孔５８を有する。大径部５３、５４の小径部５１側の端面は図５のように傾斜した凹みがある。この凹みは攪拌された金属を内側に押え、外部への流出を防止するためにある。
【００３６】
このように部品を製作した後、大径部５４に相当する部材を軸５１ｃに嵌合し、ピン孔５７、５８にノックピン５９を嵌合し、大径部５４を固定する。
【００３７】
小径部５１の長さ（大径部５３の端面から大径部５４の端面までの距離）Ｌは面板１１ｂ、２１ｂ（１２ｂ、２２ｂ）の板厚（凸部１５、１６、２５、２６を除く。）ｔよりも大きい。しかし、Ｌは凸部１５、１６、２５、２６を含む面板１１ｂ、２１ｂ（１２ｂ、２２ｂ）の板厚よりも小さい。上面の面板１１ｂ、２１ｂの板厚と下面の面板１２ｂ、２２ｂの板厚とは異なるので、上面用の回転工具５０と下面用の回転工具５０では小径部５１の長さＬは異なる。大径部５３、５４のそれぞれの径Ｄは２つの凸部１５、２５、凸部１６、２６を合わせた幅Ｗよりも小さい。
【００３８】
次に、２つの中空形材の接合手順を説明する。２つの中空形材１０、２０を架台１００に載せ、中空形材１０の面板１１ｂ、１２ｂに他方の中空形材２０の面板２１ｂ、２２ｂを突き合わせる。これによって面板１１ｂ、１２ｂの凹部１８に面板２１ｂ、２２ｂの凸部２８が入る。この状態で中空形材１０、２０を架台１００に固定する。下面の面板１２ｂ、２２ｂの凸部１５、２５は架台１００の凹部１０１に入っている。また、上面の面板１１ｂ、２１ｂの凸部１５、２５を間欠的にアーク溶接する。これは仮止めのための溶接である。
【００３９】
この状態で、先ず、中空形材１０、２０の上面の面板１１ｂ、２１ｂを摩擦攪拌接合する。長手方向の端面から、回転工具５０を回転させながら中空形材１０、２０側に移動させ、２つの大径部５３、５４の間（小径部５１）に接合すべき部分（面板１１ｂ、２１ｂの突き合わせ部）を入れる。回転工具５０の移動によって接合すべき部分は接合される。
【００４０】
摩擦攪拌接合する際、凹部１８の深さの中心に回転工具５０の軸心が位置するようにする。これによれば、凹部１８の深さが大きい場合や、突き合わせ部の隙間が大きい場合でも、凹部１８、凸部２８や突き合わせ部を十分に摩擦攪拌接合できるものである。
【００４１】
回転工具５０の移動方向の前方に設置した光学センサで凸部１５、２５を検出し、回転工具５０を誘導する。すなわち、光学センサは凸部１５、２５からなる幅Ｗを検出し、凹部１８の深さの中心に回転工具５０の中心を一致させる。幅を検出するとは、凸部１５、２５からなる１つの凸部の幅方向の両端の位置を検出することである。また、光学センサは凸部の上面または凸部の近傍の面板の上面を検出し、接合部の高さ位置を求め、回転工具５０の垂直方向の位置を定める。これによって、回転工具５０の大径部５３、５４が面板の両面の凸部を挟むようになる。
【００４２】
周知のように、摩擦攪拌接合時に、回転工具５０の移動方向において、回転工具５０の軸心は後方に傾斜している。回転工具５０の軸心は、下部の大径部５４側が上部の大径部５４側よりも移動方向の前方に位置している。
【００４３】
摩擦攪拌接合時において、上部の大径部５３の後端は凸部１５、２５内に位置している。大径部５３の後端が凸部１５、２５内に位置するとは、凸部１５、２５を除く面板１１ｂ、２１ｂの外面（上面）と凸部１５、２５の頂との間に大径部５３の後端が位置していることを言う。
【００４４】
一方、下部の大径部５４の前端は凸部１６、２６内に位置している。大径部５４の前端が凸部１６、２６内に位置するとは、凸部１６、２６を除く面板１１ｂ、２１ｂの外面（上面）と凸部１５、２５の頂との間に大径部５４の前端が位置していることを言う。
【００４５】
このため、図４のように接合部の上下の面に、凸部１５、２５、１６、２６の頂よりも凹んだ接合部の面が生じる。上部の接合部の面は大径部５３の後端の位置が基準になる。下部の接合部の面は大径部の前端の位置が基準になる。但し、大径部５４の後端で金属が若干盛り上がる。図４は接合後の断面を模式的に示すものである。
【００４６】
以上によって、接合部の面は面板１１ｂ、２１ｂの上下の面よりも外側にあり、面板１１ｂ、２１ｂの厚さが薄くなることはない。すなわち、回転工具５０の移動方向において、面板１１ｂ、２１ｂ、１２ｂ、２２ｂが上下に若干曲がっても、凸部１５、１６、２５、２６に対する大径部５３、５４の深さが異なるのみであり、面板１１ｂ、２１ｂ、１２ｂ、２２ｂそのものが切削されることがないものである。したがって、板厚が薄くなることがないものである。また、面板に対する回転工具５０の位置を厳しく管理する必要がなくなり、容易に摩擦攪拌接合を行うことができるものである。また、意匠上や機能上の問題を生じないものである。
【００４７】
面板１１ｂ、２１ｂ側の接合が終了すると、中空形材１０、２０の上下を反転させ、面板１１、２１を下方にして、架台１００に固定し、面板１２ｂ、２２ｂの突き合わせ部の仮止め溶接を行う。次に、前記と同様に面板１２ｂ、２２ｂの突き合わせ部の摩擦攪拌接合を行う。
【００４８】
次に、車体の外面側になる面板（例えば、１２ｂ、２２ｂ）の凸部１５、２５を切削して、接合部を面板１２ｂ、２２ｂと同一面にする。接合部の外面は面板１２ｂ、２２ｂと凸部１５、２５の頂の間にあるので、切削によって面板１２ｂ、２２ｂと同一面にできる。この切削は、例えば、グラインダーを手で動かして行う。凸部１５、２５の頂と面板１２ｂ、２２ｂとは直交する線で接続しているので、凸部１５、２５と面板１２ｂ、２２ｂとを円弧状に接続した場合に比べて切削量を少なくできる。
【００４９】
車体の内面側は化粧板で覆うので、内面側の面板１１ｂ、２１ｂの凸部１５、２５は見栄えのための切削は必要ない。
【００５０】
摩擦攪拌接合において、接合すべき部分の隙間（例えば、凹部１８と凸部２８との間の隙間、端面１７と端面２７との間の隙間）は凸部１５、２５、１６、２６の金属が原資となり、隙間は埋められる。余った金属は大径部５３、５４の周囲から飛ばされる。前記隙間は車体５００の長さが約２０ｍあるので、生じ易い。
【００５１】
車体５００は長さが約２０ｍで、面板１１ｂ、１２ｂ、２１ｂ、２２ｂは中空形材１０、２０の厚さ方向に若干歪んでいることが多い。しかし、２つの面板１１ｂ、２１ｂ（１２ｂ、２２ｂ）は凹部１８と凸部２８で嵌め合わせているので、接合すべき部分の面板１１ｂ（１２ｂ）の端部の高さ位置と面板２１ｂ（２２ｂ）の端部の高さ位置とが異なる段違いが生じない。段違いを生じると、接合部内に空隙ができやすい。このため、この嵌め合わせによって欠陥の少ない摩擦攪拌接合ができるものである。
【００５２】
摩擦攪拌接合時に、２つの面板は２つの大径部５３、５４に挟まれているので、面板１１ｂ、２１ｂ側を接合する際に、回転工具５０を面板１２、２２側に挿入する力は発生しない。このため、接合部に支え板が無くても、中空形材を変形させないで、接合できるものである。
【００５３】
大径部５３の下端の外周に切削用の刃を設置しておけば、摩擦攪拌接合すると共に、前記刃よりも上方の凸部１５、２５および接合部を切削することができる。少なくとも摩擦攪拌接合によって発生したバリは切削される。回転工具５０の回転による前記刃の回転径を２つの凸部１５、２５の幅Ｗよりも大きくしておく。切削後も凸部１５、２６は残る。これによれば、上部の接合部の面は凸部１５、２５と実質的に同一面になる。ただし、回転工具に刃を設置しているので、図４において接合面が円弧状であるように、切削面は円弧状である。これによれば、接合後の中空形材を軽量にできる。これは前記特開２００１−０４７２６２号公報（ＥＰ１０５７５７５Ａ２）に示されている。また、面板１２ｂ、２２ｂの凸部１５、２５に対して切削したのであれば、その後、面板１２ｂ、２２ｂと同一面になるまで切削する作業を容易にできる。
【００５４】
大径部５４にも切削用の刃を設けることができる。刃の位置は大径部５４の上端よりも下方にする。凸部１６、２６に対する大径部５４の傾斜方向は凸部１５、２５に対する大径部５３の傾斜方向とは逆であるので、垂直方向における刃の位置は接合前に凸部１６、２６を切削しない位置にする。摩擦攪拌接合によって発生したバリを切削するように、凸部１６、２６の頂よりも下方を切削するようにする。回転工具５０は傾斜しているので、大径部５４は、回転工具の移動方向において、前方側の大径部といえる。この切削による切粉および摩擦攪拌接合による切粉は中空部の一端側から噴出させた空気で排出する。
【００５５】
上記実施例では中空形材１０の面板１１ｂ、１２ｂにそれぞれ凹部１８を設け、他方の中空形材２０の面板２１ｂ、２２ｂに凸部２８を設けている。しかし、面板１１ｂ、２２ｂに凹部１８を設け、面板１２ｂ、２１ｂに凸部２８を設けてもよい。
【００５６】
図７の実施例を説明する。前記光学センサ３５で検出する凸部１５、２５の上面（頂の面）に第２の凸部３１、３２を設けている。第２の凸部３１、３２の高さは約１ｍｍである。２つの凸部３１、３２を合わせた幅Ｗ２は約１５ｍｍである。光学センサ３５は第２の凸部３１、３２を検出して回転工具５０を誘導する。第２の凸部３１、３２は摩擦攪拌接合によってなくなる。
【００５７】
凸部の幅および高さ位置を高精度に検出するためには、光学センサ３５から凸部３１、３２までの距離Ｈ２をそのセンサの所定値以下（実質的に焦点距離以下）にすることが必要である。第２の凸部３１、３２を設けているので、この幅Ｗ２を小さくでき、距離Ｈ２を所定範囲内にでき、高精度に検出できるものである。このため、凸部１５、２５の幅Ｗを大きくできるものである。その理由は、凹部１８の深さが大きい場合、接合部の幅を大きくしたい場合、２つの大径部５３、５４を有する回転工具５０の場合等では、凸部１５、２５の幅Ｗを大きくしたい。幅Ｗを大きくすると、センサから凸部までの距離Ｈ２を大きくしなければならないので、この距離Ｈ２を所定値以下にできなくなり、高精度の位置検出ができない。しかし、第２の凸部３１、３２があれば可能になる。なお、第２の凸部は一方の凸部のみ（１５または２５）に設けてもよい。
【００５８】
図８の実施例を説明する。面板１１ｂ、１２ｂの端部には凸部がなく、実質的に板状である。中空形材２０の面板２１ｂ、２２ｂの端部の両面に凸部２５ｂ、２６ｂがある。凸部２５ｂ、２６ｂは面板２１ｂ、２２ｂの厚さ方向に突出し、面板２１ｂ、２２ｂに沿ってさらに面板の端面よりも突出している。この突出した部分を突出片２５ｃ、２６ｃという。２つの突出片２５ｃ、２６ｃの間には面板１１ｂ（１２ｂ）が挿入される凹部になっている。凹部の幅および面板１１ｂ、１２ｂの先端の形状は、凹部に面板１ｂ、１２ｂを挿入しやすい幅および台形状になっている。この凹部の深さは図２の場合よりも深い。
【００５９】
突出片２５ｃ、２６ｃを含む凸部２５ｂ、２６ｂの幅は前記幅Ｗと同様である。凹部の底面に回転工具５０の中心を位置させる。突出片２５ｃ、２６ｃを含む凸部２５ｂ、２６ｂの幅の中心に実質的に凹部の底面を設けている。凹部の底面および面板１１ｂ、１２ｂの端面は面板に実質的に直交している。凸部２５ｂ、２６ｂの高さは、凸部１５、１６、２５、２６と同様である。
【００６０】
突出片２５ｃ、２６ｃはなくてもよいが、有ることによって良好な接合ができる。
【００６１】
面板１１ｂ、２２ｂに凹部を設け、面板２１ｂ、１２ｂに凸部を設けることができる。
【００６２】
図９と図１０の実施例を説明する。これは中空形材を一方の面側から中空形材の両面を接合するものである。面板１２ｂの端部と面板２２ｂの端部とは突き合わせ、嵌め合わせている。面板１２ｂ、２２ｂの端部の構成は図２と同様である。面板１２ｂ（２２ｂ）は上面の面板１１ｂ（２１ｂ）よりも端部側に突出している。面板１１ｂと面板２１ｂとは接続材４０を介して接合している。接続材４０は板４１の両端に凸部を設けている。
【００６３】
面板１１ｂの端部の上面には凸部がない。下面には凸部１６ｂがある。接続材４０の一端の上面には凸部４２がある。凸部４２は上方に突出し、板４１に沿って板４１の端面よりも面板１１ｂ側に突出している。凸部４２の突出片４２ｃは面板１１ｂに載っている（重なっている）。接続材４０の一端の下面には凸部４３がある。面板１１ｂと凸部１６ｂとの端面が、板４１と凸部４３との端面に突き合わせられている。
【００６４】
突出片４２ｃを含む凸部４２の幅の中心に回転工具５０の中心を位置させる。このため、面板１１ｂ、凸部１６ｂ、板４１、凸部４３の端面（突き合わせ部の面）に回転工具５０に中心が位置するといえる。突出片４２ｃを含む凸部４２の幅は大径部５３の径よりも大きい。面板１１ｂ、凸部１６ｂ、板４１、凸部４３の端面は面板１１ｂ、板４１に実質的に直交している。凸部１６ｂ、４２、４３の高さは、凸部１５、１６、２５、２６の高さと同様である。
【００６５】
接続材４０の他端の上下の面には凸部４５、４６がある。凸部４５、４６の端部には板４１に沿って突出した突出片４５ｃ、４６ｃがある。突出片４５ｃの長さは凸部４５の幅と同一である。突出片４６ｃの長さは短い。突出片４５ｃと４６ｃの間は凹部になっている。突出片４５ｃを含む凸部４５の幅の中央に板４１の端面がある。面板２１ｂの下面には突出片４６ｃの端部に突き合わせる凸部２６ｄがある。凸部２６ｄと突出片４６ｃとを合わせた幅と凸部４６の幅とが等しい。
【００６６】
かかる構成において、面板１２ｂ、２２ｂを下方にして、中空形材１０、２０を架台１００に固定し、突き合わせた面板１２ｂと面板２２ｂとを仮止め溶接する。次に、上方の面板１１ｂ、２１ｂ側（上方）から回転工具５０で摩擦攪拌接合する。架台１００の凹部１０２の大きさは大径部５４の大きさから定める。
【００６７】
次に、接続材４０を面板１１ｂ、２１ｂに組付ける。すなわち、接続材４０をその幅方向に移動させ、突出片４５ｃと４６ｃとの間に面板２１ｂの端部を挿入する。次に、接続材４０の他端を下降させ、突出片１６ｃを面板１１ｂに載せる。接続材４０の両端は面板１１ｂ、２１ｂに支持され、落下することはない。下方の突出片４６ｃの長さが短いので、面板２１ｂを挿入しやすい。次に、接続材４０の両端を面板１１ｂ、２１ｂに仮止め溶接する。
【００６８】
接続材４０にはリブ等がなく、接続材４０の長手方向において厚さ方向に曲がりやすい。このため、この組付け作業が困難になる。そこで、接続材４０の長さを中空形材１０、２０の長さ（一般にその長さは車体の長さであるので、約２０ｍある。）より十分に短くする。例えば、接続剤４０は長さを数ｍにする。このため、多数の接続材４０が一組の中空形材の接合線に沿ってあることになる。接合線に沿った接続材４０と接続材４０との間をアーク溶接で仮止め溶接する。溶接位置は、一方の接続材４０の凸部４２、４２ｃ、４５、４５ｃと他方の接続材４０の凸部４２、４２ｃ、４５、４５ｃとの突き合わせ部である。板４１と板４１との突き合わせ部は溶接する必要はない。つまり回転工具５０の大径部５３が通過する範囲が溶接されていればよい。突き合わせ部の隙間がないように溶接する。つまり突き合わせ部に凸部４２、４２ｃ（４５、４５ｃ）が連続してあるようにする。こうすると突き合わせ部の接合欠陥が少なくなる。
【００６９】
次に、接続材４０と面板１１ｂ、２１ｂとの突き合わせ部を摩擦攪拌接合する。接続材４０の両端を同時に接合してもよいし、一端を接合した後、他端を接合してもよい。
【００７０】
一端を接合した後、他端を接合する場合は、最初に面板１１ｂと接続材４０との突き合わせ部を接合し、次に面板２１ｂと接続材４０との突き合わせ部を接合する。これによれば、最初に摩擦攪拌接合する際の熱で、接続材４０が変形して、未接合部側（凸部２５ｂ、２６ｂ側）が浮き上がろうとしても、この部分は嵌め合わせてあるので、浮き上がらない。このため、この部分を良好に接合できるものである。
【００７１】
次に、面板１２ｂ、２２ｂの外面側を平滑に切削し、この面を車体の外面側に用いる。
【００７２】
図１１の実施例を説明する。これは面板１１ｂと接続材４０との継ぎ手を示すものである。この実施例は図８の実施例に対して上下を逆にしたものである。
【００７３】
図１２の実施例を説明する。これは面板１１ｂと接続材４０との継ぎ手を示すものである。面板１１ｂの端部の上面には凸部がない。下面には凸部１６ｂがある。凸部１６ｂは下方に突出し、面板１１ｂに沿って面板１１ｂの端面よりも接続材４０側に突出している。接続材４０の一端の下面は凸部１６ｂの突出片１６ｃに重なっている。接続材４０の一端の上面には前記実施例と同様の凸部４２がある。凸部４２の突出片４２ｃは面板１１ｂに重なっている。但し、上下の突出片４２ｃ、１６ｃが他方の部材に重なるといっても、他方の部材に接触しているのは実質的に一方の突出片のみであろう。
【００７４】
つまり、この実施例は継ぎ手のそれぞれの部材に他方の部材に重なる凸部を設けたものである。
【００７５】
図１０、図１１、図１２の各実施例において、面板２１ｂと接続材４０との継ぎ手として、図２、図７の継ぎ手を適宜用いることができる。また、面板１２ｂと面板２２ｂとの継ぎ手は図８の継ぎ手を用いることができる。また、図１の継ぎ手として、図１０、図１１、図１２の面板１１ｂと接続材４０との継ぎ手、また図１０の面板２１ｂと接続材４０との継ぎ手を適宜用いることができる。また、中空形材１０、２０の端部の接続材１３、２３は面板１１ｂ、１２ｂ、２１ｂ、２２ｂに直交するものであってもよい。
【００７６】
上記各実施例の継ぎ手は、板等の各種部材の接合部の継ぎ手として用いることができる。
【００７７】
本発明の技術的範囲は、特許請求の範囲の各請求項に記載の文言あるいは課題を解決するための手段の項に記載の文言に限定されず、当業者がそれから容易に置き換えられる範囲にも及ぶものである。
【００７８】
【発明の効果】
本発明のよれば、第１の中空形材の面板と第２の中空形材の面板とを接続材を解して摩擦攪拌接合する際に、良好な摩擦攪拌接合が得られるものである。
【図面の簡単な説明】
【図１】本発明の一実施例の一対の中空形材の縦断面図。
【図２】図１の一対の中空形材の継ぎ手の部分の拡大縦断面図。
【図３】図１の接合時の要部の縦断面図。
【図４】図１の接合後の要部の縦断面図。
【図５】図１の回転工具の分解縦断面図。
【図６】鉄道車両の車体の斜視図。
【図７】本発明の他の実施例の要部の縦断面図。
【図８】本発明の他の実施例の要部の縦断面図。
【図９】本発明の他の実施例の一対の中空形材の縦断面図。
【図１０】図９の要部の縦断面図。
【図１１】本発明の他の実施例の要部の縦断面図。
【図１２】本発明の他の実施例の要部の縦断面図。
【符号の説明】
１０、２０  中空形材
１１、１１ｂ、１２、１２ｂ、２１、２２  面板
１５、１６、１６ｂ、２５、２５ｂ、２６、２６ｂ  凸部
１５ｃ、１６ｃ、２５ｃ、２６ｃ  突出片
１８  凹部
２８  凸部
４０  接続材
４１  板
４２、４３  凸部
４２ｃ  突出片
５０  回転工具
５１  小径部
５３、５４  大径部
【図１】
0003751237.tif 000002
【図２】
0003751237.tif 000003
【図３】
0003751237.tif 000004
【図４】
0003751237.tif 000005
【図５】
0003751237.tif 000006
【図６】
0003751237.tif 000007
【図７】
0003751237.tif 000008
【図８】
0003751237.tif 000009
【図９】
0003751237.tif 000010
【図１０】
0003751237.tif 000011
【図１１】
0003751237.tif 000012
【図１２】
0003751237.tif 000013